(57)【特許請求の範囲】
【請求項１】
リールを装着するためのリールシート（２）を備え、
前記リールシート（２）には、リール装着時にリールの前後の足を各々収容する収容部が竿軸方向の前後に設けられてなる釣竿において、
前記前後の収容部は、一方が移動不能な固定収容部（３）で、他方が前記固定収容部（３）に対して竿軸方向に移動可能な可動押体（７）に形成された可動収容部（４）であり、
前記リールシート（２）には、弾性部材からなるチューブ（９）が被嵌され、前記チューブ（９）で少なくとも前記固定収容部が覆われ、
前記チューブ（９）は、リール装着時に、前記リールシート（２）の竿軸方向の全領域のうち、前記固定収容部の前記一方の側の端部（６ａ）からリールの足の竿軸方向略中央に対応する位置（Ｐ）を通過して、前記可動押体の手前までの領域を覆うものであり、
前記チューブ（９）には、前記リールシートに被嵌されたとき、前記リールの足を前記固定収容部（３）に収容可能に、前記固定収容部（３）の開口部に沿って開口する足挿通用孔（１０）が形成されてなる
ことを特徴とする釣竿。
【請求項２】
弾性部材からなり、釣竿のリールシート（２）に被嵌される釣竿被覆用チューブであって、
前記リールシート（２）には、リール装着時にリールの前後の足を各々収容する収容部が竿軸方向の前後に設けられ、該前後の収容部は、一方が移動不能な固定収容部（３）で、他方が固定収容部（３）に対して竿軸方向に移動可能な可動押体（７）に形成された可動収容部（４）であり、
前記釣竿被覆用チューブは、筒状の弾性部材であって、リール装着時に、該リールシート（２）の竿軸方向の全領域のうち、前記固定収容部の前記一方の側の端部（６ａ）から前記リールの足の竿軸方向略中央に対応する位置（Ｐ）を通過して、前記可動押体の手前までの領域を覆うことができるよう構成されたものであり、
前記釣竿被覆用チューブには、前記リールシートに被嵌されたとき、前記リールの足を前記固定収容部（３）に収容可能に、前記固定収容部（３）の開口部に沿って開口する足挿通部（１１）が形成されてなる
ことを特徴とする釣竿被覆用チューブ。
【発明の詳細な説明】
【０００１】
【発明の属する技術分野】
本発明はリールを装着するためのリールシートを備えた釣竿、及び釣竿に被嵌される釣竿被覆用チューブに関する。
【０００２】
【従来の技術】
従来、この種の釣竿のリールシートには、リール装着時にリールの前後の足を各々収容する収容部が竿軸方向の前後に設けられ、該収容部の構成も種々のものがあるが、一般には、一方が移動不能な固定収容部で、他方が固定収容部に対して竿軸方向（釣竿の軸方向）に移動可能な可動収容部となっているものが多い。
【０００３】
そして、リールを装着する際には、リールの前後の足のうちの一方の足を固定収容部に収容し、次に可動収容部を固定収容部に向けて竿軸方向に移動して他方の足を可動収容部に収容する。これによりリールの前後の足が両収容部で竿軸方向に挟持されてリールが係止され、実際の釣りにおいては、このリールシートを把持してキャスティングしたり、リールを操作したりする。
【０００４】
【発明が解決しようとする課題】
しかるに、釣竿の軽量化のため、一般に、リールシートはプラスチックから形成されているため、汗で手が滑ったり、水に濡れた場合にホールド感が低下したりする場合があった。特に、収容部は指が当接する箇所で、リールシートの中でも最も力が作用する箇所であるため、収容部に当接する指が滑るとキャスティングの確実性が悪化したり、魚がかかった時に手に力が入らなかったりするという可能性もある。
【０００５】
それゆえに本発明は、上記従来の問題点に鑑みてなされ、リールシートを把持した時の手の滑りを防止することを課題とする。
【０００９】
【課題を解決するための手段】
本発明は、上記課題を解決すべくなされたものであり、本発明に係る釣竿は、リールを装着するためのリールシート２を備え、該リールシート２には、リール装着時にリールの前後の足を各々収容する収容部が竿軸方向の前後に設けられてなる釣竿において、前後の収容部において、一方が移動不能な固定収容部３で、他方が固定収容部３に対して竿軸方向に移動可能な可動押体７に形成された可動収容部４であり、前記リールシート２には、弾性部材からなるチューブ９が被嵌され、該チューブ９で少なくとも一方の収容部が覆われ、前記チューブ９は、リール装着時に、前記リールシート２の竿軸方向の全領域のうち、前記固定収容部の前記一方の側の端部６ａからリールの足の竿軸方向略中央に対応する位置Ｐを通過して、前記可動押体の手前までの領域を覆うものであり、該チューブ９には、前記リールシートに被嵌されたとき、前記リールの足を固定収容部３に収容可能に、前記固定収容部３の開口部に沿って開口する足挿通用孔１０が形成されてなることが好ましい。
該釣竿にあっては、リールシート２に弾性部材からなるチューブ９が被嵌されてなるので、該釣竿のリールシート２にリールを装着して、該リールシート２を釣り人が把持した際に、チューブ９によって手の滑りが防止され、確実にリールシートを把持できる。
また、リールの前後の足を各々収容する前後両収容部は、リールシート２を把持した手の指がかかる部位であり、釣竿を操作する際に最も力がかかる部位でもあるが、この前後両収容部のうち、少なくとも一方の収容部がチューブ９で覆われ、チューブ９によって特に指の滑りが防止されるので、確実に釣竿を操作できるのである。
また、リール装着時にリールの足の竿軸方向略中央に対応する位置Ｐから固定収容部側端部６ａまでの領域をチューブ９で一体的に覆うことによって、チューブ９による被覆領域を十分に確保できるうえに、複数のチューブ９で分割被覆する場合に比して把持した際の安定感が得られ且つ、チューブ９のずれや剥がれ等も起こりにくくなる。
【００１０】
また、本発明に係る釣竿被覆用チューブは、弾性部材からなり、釣竿のリールシート２に被嵌される釣竿被覆用チューブであって、前記リールシート２には、リール装着時にリールの前後の足を各々収容する収容部が竿軸方向の前後に設けられ、該前後の収容部は、一方が移動不能な固定収容部３で、他方が固定収容部３に対して竿軸方向に移動可能な可動押体７に形成された可動収容部４であり、前記釣竿被覆用チューブは、筒状の弾性部材であって、リール装着時に、該リールシート２の竿軸方向の全領域のうち、前記固定収容部の前記一方の側の端部６ａから前記リールの足の竿軸方向略中央に対応する位置Ｐを通過して、前記可動押体の手前までの領域を覆うことができるよう構成されたものであり、前記釣竿被覆用チューブには、前記リールシートに被嵌されたとき、前記リールの足を前記固定収容部３に収容可能に、前記固定収容部３の開口部に沿って開口する足挿通部１１が形成されてなることを特徴とする。
【００１１】
【発明の実施の形態】
以下、本発明に係る釣竿及び釣竿被覆チューブの一実施形態について、図１及び図２を参酌しつつ説明する。
まず、図１において、１はカーボン繊維等の高強度繊維に合成樹脂を含浸したプリプレグをマンドレルに巻回し、加圧焼成して中空に形成した竿本体で、２は、竿本体１に外嵌装着されたリールシートである。該リールシート２には、リール装着時にリールの前後の足５１，５２を各々収容する収容部が竿軸方向の前後に設けられ、該前後の収容部は、一方が後ろ側の足５２を収容する移動不能な固定収容部３で、他方が固定収容部３に対して竿軸方向に移動可能で前側の足５１を収容する可動収容部４となっている。
【００１２】
具体的に説明すると、該リールシート２は、いわゆるパイプシートと称されるタイプであり、その構成は、竿本体１に外嵌装着され、その竿軸方向の後端部外面に前方に向けて開口したテーパ状の固定収容部３が一体的に形成され且つ、他端部外周面に雄ネジ部５が形成されてなるシート本体６と、シート本体６に竿軸方向に移動自在に外装着され、その後端部が部分的にテーパ状に拡径することにより、シート本体６の外周面とから後方に開口した可動収容部４を形成する筒状の可動押体７と、該可動押体７の前方側に位置し、前記雄ネジ部５と螺合することにより可動押体７を後方に押圧し、移動させるネジリング８とからなる。
【００１３】
尚、図１においては、リール（ここではスピニングリール）の足５０を二点破線で示して、可動収容部４と固定収容部３との協動により、リールの足５０が竿軸方向に挟持されて係止された状態を示しているが、リール装着状態においては、ネジリング８を締め付けることにより可動押体７を後方に押圧する押圧力が発生し、リールが確実に固定されることとなる。また、シート本体６、可動押体７及びネジリング８は合成樹脂から成形により形成されてなる。
【００１４】
更に、かかるリールシート２には、弾性部材からなるチューブ９（釣竿被覆用チューブ）が密着状に被嵌されてなる。より詳しくは、該チューブ９はシート本体６の後端部側領域に被嵌されてなり、固定収容部側端部６ａ（後端部）から、リール装着時にリールの足５０の竿軸方向略中央に対応する位置Ｐを前方側に通過して、前記可動押体７の手前までの領域を覆っている。そして、該チューブ９には、リールの後ろ側の足５２を固定収容部３に収容できるように、後ろ側の足５２が挿通できる足挿通用孔１０が形成されてなる。
【００１５】
かかるチューブ９は、装着前において図２に示す如く径一定の筒状であり、リールシート２への被嵌状態において固定収容部３の開口部に対応する位置には、被嵌状態において足挿通用孔１０となる切込部１１（足挿通部）が周方向に沿って形成されてなる。かかるチューブ９を拡径してシート本体６に外嵌すると、弾性復元力で縮径してシート本体６に密着すると共に、切込部１１が固定収容部３の開口部に沿って開口して足挿通用孔１０となる。尚、足挿通部を切込部１１とせずに穴形状としてもよい。
【００１６】
また、チューブ９を形成する弾性部材としては、ＥＶＡ等の軟質合成樹脂やゴム等があるが、弾性に加えて熱収縮性をも有する熱収縮性チューブとすることもできる。この場合には、大径のチューブ９をシート本体６に遊嵌した後、熱収縮させることでシート本体６に密着させることができるので、被嵌作業が楽になる。
【００１７】
以上の構成からなる釣竿にあっては、固定収容部３を含んだ領域がチューブ９で覆われてなるので、図１の如く、リールを装着した釣竿を手で把持すると、チューブ９が手のひら及び指に当接するので、濡れた手で把持したり発汗したりしても手の滑りが防止される。特に、固定収容部３には指５３がかかるが、その指５３の滑りがチューブ９で防止されるので、釣竿のホールド性が向上して操作性も向上するのである。
【００１８】
しかも、後端部からリール装着時における可動押体７の手前までの領域が覆われてなるので、滑り止め効果を発揮する領域を十分に得ることができると共に、可動押体７とチューブ９との干渉をも防止できる。また、該領域を一つのチューブ９で一体的且つ連続的に覆うことにより、分割被覆に比してチューブ９のずれや剥がれ等も起こりにくくなるという利点がある。尚、可動押体７にも別途チューブを被嵌して、より一層確実に手の滑りを防止することもできる。
【００１９】
尚、上記実施形態では、スピニングリールを例に説明したが、両軸リール用の釣竿であってもよい。かかる両軸リール用の釣竿にあっては、図３のように、把持した際に、指５４（人差し指）を引っかけるためのトリガー２０がシート本体６に形成されてなるものがあり、このようにトリガー２０を有する釣竿においては、シート本体６のうちのトリガー２０を含めた所定部分をゴム等の弾性部材から形成することによって、トリガー２０にかけた指５４の痛みを防止することができる。
【００２０】
かかる釣竿においても、シート本体６の固定収容部３には他の指５５（親指）が当接することがあるので、図４のように、シート本体６の全領域のうち、雄ネジ部５を除いた領域を弾性部材からなるチューブ９で被覆することが好ましい。固定収容部３までトリガー２０と同様に弾性部材から形成すると、指５５を固定収容部３に当接した際の剛性感が悪化して不具合が大きいからである。
【００２１】
尚、かかるチューブ９は、被嵌前においては、図５のように、足挿通部としての切込部１１と共に、トリガー用切り込み２１が形成されているものである。
【００２２】
また、上記実施形態では、被嵌前において予めチューブ９に切込部１１を形成しているが、釣竿にチューブ９を被嵌した後にナイフ等で所定長さの切り込みを入れることにより足挿通用孔１０を形成することもできる。但し、被嵌状態において足挿通用孔１０となる切込部１１等の足挿通部を被嵌前のチューブ９に予め形成しておくことが好ましい。
【００２３】
更に、固定収容部３が前方側に位置し、可動収容部４が後方側に位置するもの等、収容部を含めたリールシート２の構成についても種々の構成を採用できる。
【００２４】
【発明の効果】
以上のように、リールシートをチューブで覆うことにより、水に濡れたり発汗したりしても手の滑りが防止され、特に収容部を覆うことで指の滑りが防止されて釣竿のホールド感と操作性が向上する。
【図面の簡単な説明】
【図１】本発明の一実施形態における釣竿の要部を示す断面図。
【図２】同実施形態における釣竿被覆用チューブを示す斜視図。
【図３】本発明の他の実施形態の釣竿を説明するための釣竿の要部の正面図。
【図４】本発明の他の実施形態の釣竿の要部を示す正面図。
【図５】同実施形態における釣竿被覆用チューブを示す斜視図。
【符号の説明】
２…リールシート、３…固定収容部、４…可動収容部、６…シート本体、６ａ…固定収容部側端部、９…チューブ（釣竿被覆用チューブ）、１０…足挿通用孔、Ｐ…リール装着時にリールの足の竿軸方向略中央に対応する位置
【図１】
0004292437.tif 000002
【図２】
0004292437.tif 000003
【図３】
0004292437.tif 000004
【図４】
0004292437.tif 000005
【図５】
0004292437.tif 000006